(57)【特許請求の範囲】
【請求項１】
構造物から張り出した状態で片持ち支持される固定具であって、
前記構造物に固定される支持部材と、
一端が前記支持部材に連結される所定長さの固定具本体と、
前記固定具本体の他端を覆う外装部、及び、前記外装部を前記固定具本体に連結する連結部からなる先端部材と、を有し、
前記先端部材の外装部のうち少なくとも外装面は、前記固定具本体と同一材質からなり、
前記支持部材と前記固定具本体は第１連結部材を介して連結され、かつ前記先端部材と前記固定具本体とは第２連結部材を介して連結され、
前記固定具本体には、少なくとも前記第１連結部材及び前記第２連結部材を覆うカバー部材が装着され、
前記固定具本体は、前記固定具本体の長さ方向に沿って両側に所定幅で延出した延出面が外装面として形成されると共に、
前記固定具本体の外装面の裏面縁部には、長さ方向に沿って第１溝部が形成され、かつ前記先端部材の外装面の裏面縁部には、前記固定具本体と連結された際に前記固定具本体の前記第１溝部と繋がる第２溝部が形成され、
前記カバー部材は、前記固定具本体と前記先端部材とが連結された状態で、その縁部が前記固定具本体の第１溝部及び前記先端部材の第２溝部に嵌合して装着される、ことを特徴とする固定具。
【請求項２】
請求項１に記載の固定具であって、
前記固定具本体は中空部材からなると共に、その一端は前記支持部材に挿入固定され、かつその他端は前記先端部材の前記連結部が固定されることを特徴とする固定具。
【請求項３】
請求項１または請求項２に記載の固定具であって、
前記固定具本体と前記先端部材は、各々、同一部材が斜方向に切断された部材からなり、その切断面が相互に突き合わされる、ことを特徴とする固定具。
【請求項４】
請求項１乃至請求項３のいずれかに記載の固定具であって、
前記固定具本体、前記先端部材及び前記カバー部材は、同一材質からなることを特徴とする固定具。
【請求項５】
請求項１乃至請求項４のいずれかに記載の固定具と、この固定具に固定される屋根材と、を有することを特徴とする持出し庇。
【発明の詳細な説明】
【技術分野】
【０００１】
本発明は、構造物から張り出された状態で片持ち支持される固定具、及び、前記固定具を有する持出し庇、に関する。
【背景技術】
【０００２】
従来から、構造物から張り出された状態で片持ち支持される固定具としては、建築物の玄関の上部に庇を設ける際に用いられる固定具が知られている。このような固定具は、建築物に固定されている上枠材及び下枠材を有する取付枠と、上枠材から片流れした上弦材、及び、下枠材から延出し且つ上弦材の下部と結合した下弦材を有する三角形枠状に構成されている。また、上弦材と下弦材とは鉛直方向に配置されるガゼットプレートにより結合されている。そして、上弦材の上部にパネル状の屋根材が固定される（例えば、特許文献１参照）。
【特許文献１】特開２００４−３００８０１号公報
【発明の開示】
【発明が解決しようとする課題】
【０００３】
上記従来の固定具は、取付枠、上弦材、下弦材、及びガゼットプレートが、ボルトやリベット、溶接などにより結合される。このような結合部や、上弦材、下弦材、及びガゼットプレート等が切断された端部が外部に露出していると、建築物の美観を損ねる畏れがあるという課題があった。
【０００４】
本発明は、かかる課題に鑑みてなされたものであり、その目的とするところは、美観に優れた固定具、及び、固定具を有する持出し庇を提供することにある。
【課題を解決するための手段】
【０００５】
構造物から張り出した状態で片持ち支持される固定具であって、前記構造物に固定される支持部材と、一端が前記支持部材に連結される所定長さの固定具本体と、前記固定具本体の他端を覆う外装部、及び、前記外装部を前記固定具本体に連結する連結部からなる先端部材と、を有し、前記先端部材の外装部のうち少なくとも外装面は、前記固定具本体と同一材質からなり、前記支持部材と前記固定具本体は第１連結部材を介して連結され、かつ前記先端部材と前記固定具本体とは第２連結部材を介して連結され、前記固定具本体には、少なくとも前記第１連結部材及び前記第２連結部材を覆うカバー部材が装着され、前記固定具本体は、前記固定具本体の長さ方向に沿って両側に所定幅で延出した延出面が外装面として形成されると共に、前記固定具本体の外装面の裏面縁部には、長さ方向に沿って第１溝部が形成され、かつ前記先端部材の外装面の裏面縁部には、前記固定具本体と連結された際に前記固定具本体の前記第１溝部と繋がる第２溝部が形成され、前記カバー部材は、前記固定具本体と前記先端部材とが連結された状態で、その縁部が前記固定具本体の第１溝部及び前記先端部材の第２溝部に嵌合して装着される、ことを特徴とする固定具である。
このような固定具によれば、固定具本体の一端は、構造物に固定された支持部材と連結され、他端は先端部材の外装部と、連結部を介して連結される。このとき、構造物から張り出した固定具本体と、固定具本体と連結された外装部の外装面とは同一材質なので、固定具本体と先端部材とがあたかも一体の部材であるかのように視認され、美観に優れた固定具を実現することが可能である。
また、支持部材と固定具本体の一端とを連結する第１連結部材と、固定具本体の他端と先端部材とを連結する第２連結部材とが、カバー部材により覆われるので、連結部材は固定具の外側に露出しない。このため、さらに美観に優れた固定具を実現することが可能である。
また、第１連結部材と第２連結部材とを覆うカバー部材の端縁は、固定具本体から延出された外装面の裏面縁部に設けられた第１溝部と、先端部材の外装面の裏面縁部に設けられ第１溝部と繋がる第２溝部に嵌合して装着されているので、カバー部材の端縁も外装面により隠されて外部に露出しない。このため、カバー部材が連結部材を覆うばかりでなく、カバー部材の端縁も外部に露出しないので、更に美観に優れた固定具を実現することが可能である。
【０００６】
かかる固定具であって、前記固定具本体は中空部材からなると共に、その一端は前記支持部材に挿入固定され、かつその他端は前記先端部材の前記連結部が固定されることが望ましい。
このような固定具によれば、固定具本体が中空部材であり、この固定具本体は支持部材に挿入固定されるので、支持部材は固定具本体に覆われて外部に露出しない。また、連結部が固定具本体の他端に固定されると外装面が固定具の先端に配置され、連結部は外装部より構造物側で固定具本体に固定されるので、連結部は外部から視認され難くなる。このため、より美観に優れた固定具を実現することが可能である。
【０００９】
かかる固定具であって、前記固定具本体と前記先端部材は、各々、同一部材が斜方向に切断された部材からなり、その切断面が相互に突き合わされる、ことが望ましい。
このような固定具によれば、固定具本体の切断面と、先端部材の切断面とを同形状とすうことが可能である。そして、切断面を同形状とした固定具本体と先端部材とを相互に突き合わせることにより、固定具本体及び先端部材の肉厚部分も、固定具本体及び先端部材の外装面によって隠すことが可能である。このため、更に美観を高めることが可能である。
【００１０】
かかる固定具であって、前記固定具本体、前記先端部材及び前記カバー部材は、同一材質からなることが望ましい。
このような固定具によれば、外部に露出する固定具本体、先端部材、及び、カバー部材がいずれも同一材質なので、あたかも一体の無垢材であるかのように視認される。このため、固定具の重厚感や高級感が高まり、より美観に優れた固定具を実現することが可能である。
【００１１】
また、前記固定具と、この固定具に固定される屋根材と、を有することを特徴とする持出し庇である。
このような持出し庇によれば、美観に優れた固定具に屋根材が固定されているので、高級感があり美観に優れた持出し庇を提供することが可能である。
【発明の効果】
【００１２】
本発明によれば、美観に優れた固定具、及び、固定具を有する持出し庇を提供することができるという効果がある。
【発明を実施するための最良の形態】
【００１３】
以下、本発明の一実施形態に係る固定具としての持出し梁を用いた持出し庇について図面を参照して説明する。ここでは、本実施形態の持出し庇は、構造物としての建物の玄関ドア上方の外壁から張り出した状態で取り付けられている例について説明する。以下の説明においては、玄関に外側から対面した状態にて上下となる方向を上下方向、及び左右となる方向を左右方向として示し、建物側を奥側、建物から離れた側を手前側と示す。
【００１４】
図１は、本実施形態に係る持出し庇の外観を示す斜視図である。
図１に示すように、本実施形態の持出し庇１０は、建物１１の玄関ドア１３上方の外壁１１ａから張り出した状態にて設けられている。この持出し庇１０は、平板状の屋根材としてのパネル１２と、パネル１２が上方から載置されて固定される一対の固定具としての持出し梁２０と、建物１１の外壁１１ａ側でパネル１２を受けるパネル受け部材５０と、を有している。
【００１５】
パネル１２は、厚さ約８ｍｍの強化ガラス製であり、表面には保護フィルムが貼り付けられ、持出し梁２０に固定するための複数の穴が設けられている。
持出し梁２０は、パネル１２を支持するために２本用いられており、建物１１に間隔を隔てて設けられた間柱に、外壁材の上から張り出した状態にて固定されている。持出し梁２０の詳細については後述する。
【００１６】
パネル受け部材５０は、パネル１２における建物１１側の縁部の下側に入り込み建物１１に固定される下側受け部材５１と、下側受け部材５１の建物１１への固定部を覆いパネル１２の上方から、パネル１２と下側受け部材５１とに跨って取り付けられる受け部材カバー５２と、下側受け部材５１と受け部材カバー５２との両端部を側方から覆う側部材５３とを有している。
【００１７】
下側受け部材５１と受け部材カバー５２は、長手方向が玄関間口の幅方向に沿わされて配置される。下側受け部材５１と受け部材カバー５２は、いずれもアルミニウム製の押出成型部材であり、玄関間口の幅方向と直交する平面にて切断した断面形状は、長手方向の全域亘ってほぼ同一である。
【００１８】
図２は、下側受け部材の断面図である。図３は、受け部材カバーの断面図である。
下側受け部材５１は、パネル１２の下側に入り込まされる板状の底板部５１ａと、底板部５１ａの奥行き方向における中央付近から鉛直方向に立設され、ほぼパネル１２の厚さ分の高さを有する壁部５１ｂと、外壁１１ａに当接される平板状の取付部５１ｃと、取付部５１ｃの下端と壁部５１ｂの上端とを繋ぐ中継部５１ｄとを有している。取付部５１ｃには、建物１１に設けられている間柱の間隔に合わせて、下側受け部材５１を建物１１にとりつけるためのボルトが貫通される貫通穴（不図示）が設けられている。中継部５１ｄは、奥行き方向の中央から外壁１１ａ側では水平な平面部であり、パネル１２側では外壁１１ａから離れ壁部５１ｂに近づくに連れて低くなるような傾斜を有している。この傾斜部分には、下側受け部材５１と受け部材カバー５２とを接合するためのタップ穴（不図示）が設けられている。
【００１９】
受け部材カバー５２は、下側受け部材５１の底板部５１ａとほぼ平行に配置される表板部５２ａと、下側受け部材５１の取付部５１ｃと間隔を隔ててほぼ平行に配置され、下側受け部材５１を建物１１に固定するボルトを覆うカバー部５２ｂと、カバー部５２ｂの下端と表板部５２ａの外壁側の端部とを繋ぐ傾斜部５２ｃと、表板部５２ａの下面から下方に突出された、側部材５３を固定するためのボルト固定部５２ｄと、を有している。また、カバー部５２ｂには、外壁１１ａ側に突出される水平板部５２ｅを有しており、水平板部５２ｅにより外壁１１ａに対する受け部材カバー５２の位置が規制される。
【００２０】
そして、建物１１側に固定された下側受け部材５１の底板部５１ａに、持出し梁２０にて支持されたパネル１２の端部を載置し、その上側から受け部材カバー５２を載置すると、下側受け部材５１の中継部５１ｄと、受け部材カバー５２の傾斜部５２ｃとが重なり合う。重なり合った中継部５１ｄと傾斜部５２ｃとをボルトで接合すると、外壁１１ａとカバー部５２ｂと水平板部５２ｅとで囲まれた空間が形成され、この空間が防水シールを充填するための空間となる。
【００２１】
また、下側受け部材５１と受け部材カバー５２とは、各々傾斜を有する中継部５１ｄと傾斜部５２ｃとで重なり合うため、厚さの異なるパネル１２にも対応させることが可能である。また、底板部５１ａとパネル１２との間、及び、表板部５２ａとパネル１２との間には、クッション機能とシール機能とを兼ね備えたシート状のクッション材が介在される。
【００２２】
下側受け部材５１と受け部材カバー５２とを接合した状態では、長手方向における両端部から内部が見えるため、側方から内部が見えないように、下側受け部材５１と受け部材カバー５２との両端にて側部材５３が受け部材カバー５２に固定される。
【００２３】
図４は、持出し梁の構成を示す図である。
持出し梁２０は、建物１１から張り出した状態で建物１１に固定される支持部材としての持出しアーム２１と、持出しアーム２１より長い所定長さを有し長手方向における一端が持出しアーム２１に連結されて他端が持出しアーム２１より建物１１から離れた側に位置する固定具本体としての構造梁２５と、構造梁２５の他端、すなわち持出しアーム２１に連結された構造梁２５を覆った状態で当該構造梁２５に連結される先端部材３０と、持出しアーム２１と構造梁２５との連結部分、及び、先端部材３０と構造梁２５との連結部分を覆うカバー部材としての梁カバー３５と、先端部材３０と構造梁２５とを連結するための連結中継部材４０と、を有している。
【００２４】
図５は、持出しアームの構成を示す図である。
持出しアーム２１は、建物１１の外壁１１ａ側に配置される断面コ字状の補強接合部材２２と、断面Ｌ字状をなし左右一対の左持出しアーム材２３及び右持出しアーム材２４とを有している。補強接合部材２２、左持出しアーム材２３、右持出しアーム材２４は、平面視にてそれぞれコ字状及びＬ字状に見えるように配置される。
【００２５】
断面コ字状の補強接合部材２２は、外壁１１ａと対面されるほぼ長方形状の壁部２２ａが、その長手方向が上下方向に沿うように配置され、上下方向に沿わされた縁部２２ｂから外壁１１ａに対し垂直に側壁部２２ｃ、２２ｄが左右それぞれ突出されている。壁部２２ａには、建物１１に予め設けられている先付け金具６０から突出されている鋼棒６０ａが貫通される２つの穴２２ｅが上下に並べて配置されている。鋼棒６０ａの周面には後述するナット６１が螺合されるねじ溝が形成されている。左側の側壁部２２ｃには左持出しアーム材２３を固定されるためにボルト６３が貫通される穴２２ｆが、右側の側壁部２２ｄには右持出しアーム材２４を固定されるためにボルト６３が貫通される穴２２ｆが、それぞれ３つずつ設けられている。
【００２６】
断面Ｌ字状の左持出しアーム材２３及び右持出しアーム材２４は、Ｌ字をなす一方の板部の長さが短く、他方の板部の長さが長く形成されている。以下の説明では、短い方を短板部２３ａ、２４ａ、長い方を長板部２３ｂ、２４ｂという。左持出しアーム材２３及び右持出しアーム材２４は、補強接合部材２２と上下方向における長さがほぼ同じであり、左右の持出しアーム材２３，２４は、建物１１側に支持される際に、短板部２３ａ、２４ａが補強接合部材２２の左右の側壁部２２ｃ、２２ｄ間に挿入されて補強接合部材２２の壁部２２ａと重ね合わされ、突出されている鋼棒６０ａにナット６１が螺合されて固定される。このため、左右の持出しアーム材２３，２４の短板部２３ａ、２４ａにも、先付け金具６０から突出されている鋼棒６０ａが貫通される２つの穴２３ｃ、２４ｃが上下に並べて配置されている。
【００２７】
また、長板部２３ｂ、２４ｂには、補強接合部材２２に設けられた穴２２ｆを貫通したボルトが締め込まれるタップ穴２３ｄ、２４ｄと、構造梁２５と持出しアーム２１とを連結するために、構造梁２５に設けられている貫通穴２５ａを貫通したボルト６３が締め込まれるタップ穴２３ｅ、２４ｅと、が設けられている。
【００２８】
そして、持出しアーム２１の建物１１への取り付に際しては、まず、先付け金具６０が間柱に取り付けられることにより建物１１の外壁１１ａを貫通して外方に突出されている鋼棒６０ａに、外壁１１ａの破損を防止すると共に、持出しアーム２１の倒れを防止するための円盤状の倒れ防止部材６２を螺合する。このとき、外壁１１ａの内側にも同様の円盤６４が螺合されており、倒れ防止部材６２を螺合することにより内側の円盤６４と共に外壁１１ａを挟持する。ここで、内側の円盤６４は、間柱に対する外壁１１ａの位置を規制して外壁１１ａの内側に空間を形成する機能と、外壁１１ａに形成され鋼棒６０ａが貫通される穴からの水等の進入を防止するために注入されるシール剤の受け部材としての機能も有している。
【００２９】
次に、倒れ防止部材６２が螺合された鋼棒６０ａを、補強接合部材２２の壁部２２ａに設けられた穴２２ｆ、左右の持出しアーム材２３、２４の短板部２３ａ、２４ａに設けられた穴２３ｃ、２４ｃに挿入させて配置すると共に、鋼棒６０ａにナット６１を軽く螺合する。この状態にて、左持出しアーム材２３の長板部２３ｂを、補強接合部材２２の左側の側壁部に当接させ、右持出しアーム材２４の長板部２４ｂを、補強接合部材２２の右側の側壁部に当接させてそれぞれボルト６３を螺合して固定する。最後に、鋼棒６０ａに軽く螺合しておいたナット６１を締め込むと共に新たなナット６１を締め込んで、ダブルナット状態として緩みを防止する。このように取り付けることにより、建物１１に片持ち支持されて建物１１から張り出した状態の持出しアーム２１が形成される。
【００３０】
図４に示すように、構造梁２５は、長さ方向（張り出し方向）に貫通する中空部２５ｅを有する中空部材であり、持出しアーム２１の長さより十分に長い長さを有している。構造梁２５は、建物１１側に支持された持出しアーム２１が中空部２５ｅ内に挿入されて第１連結部材としてのボルト６３にて固定される。すなわち、構造梁２５の一端は、持出しアーム２１に挿入固定され、構造梁２５と持出しアーム２１とが連結される。
【００３１】
図６は、構造梁の断面図である。構造梁２５は、持出しアーム２１に取り付けられた状態にて、上下に水平な面を有する平板部２６、２７を有し、下平板部２７の下面２７ａは外側に露出される外装面となる。上平板部２６と下平板部２７との間には、左右方向に間隔を隔てて左側板部２８と右側板部２９とを有している。ここで、前述した中空部２５ｅは、左側板部２８、右側板部２９、及び、上平板部２６と下平板部２７とにおいて左側板部２８と右側板部２９との間に位置する部位にて形成されて、長さ方向に貫通している部位を示している。
【００３２】
左側板部２８と右側板部２９とは、上下方向の高さに対する約１／４の幅にて上平板部２６側と下平板部２７側とが中央部分２８ｂ、２９ｂより内側に凹設されている。そして、左側板部２８において内側に凹設された左凹設部位２８ａと右側板部２９において内側に凹設された右凹設部位２９ａとの間隔は、左右の持出しアーム材２３、２４の間隔より僅かに広く形成されている。
【００３３】
このため、構造梁２５を、持出しアーム２１が挿入されるように取り付けると、構造梁２５の左右の凹設部位２８ａ、２９ａの内面と、左右の持出しアーム材２３、２４の長板部２３ｂ、２４ｂ外面とが接することになる。このため、構造梁２５の凹設部位２８ａ、２９ａの長手方向における建物１１側には、構造梁２５と持出しアーム２１とを連結するための第１連結部材としてのボルト６３が貫通される貫通穴２５ａが設けられている。また、構造梁２５の凹設部位２８ａ、２９ａの先端側には、構造梁２５と先端部材３０とを連結するための第２連結部材としてのボルト６３が貫通される貫通穴２５ｂも設けられている。
【００３４】
上平板部２６及び下平板部２７とは、左側板部２８より左方向に、また、右側板部２９より右方向にそれぞれ延出されている。上平板部２６は、上平板部２６の左右の縁部２６ａが、左側板部２８及び右側板部２９において凹設されていない中央部分２８ｂ、２９ｂの外側面とほぼ同じ位置まで延出されている。
【００３５】
下平板部２７は、構造梁２５の中空部２５ｅの下側周面とともに繋がった１つの外装面を形成し左右方向（張り出した方向と交差する方向）両側に延出された延出面２７ｅを有しており、下平板部２７の左右の縁部２７ｂは、上平板部２６の左右の縁部より長く延出されている。延出面２７ｅ（外装面）２７ａの裏側（反外装面側）の左右の縁部（裏面縁部）には、構造梁２５の長手方向に沿って第１溝部２７ｃが各々形成されている。この第１溝部２７ｃの位置は、上平板部２６の左右の縁部２６ａのほぼ鉛直下に第１溝部２７ｃの内側の縁２７ｄが位置するように形成されている。
そして、下平板部２７は、少なくとも下面２７ａから下面２７ａの裏面の第１溝部２７ｃまでの領域に亘ってメッキ等の表面処理が施されている。
【００３６】
また、構造梁２５の建物１１側は、挿入された持出しアーム２１の左右の側壁部２２ｃ、２２ｄと左側板部２８及び右側板部２９とが当たらないように、上平板部２６及び下平板部２７より短く形成されている。また、下平板部２７は、構造梁２５が持出しアーム２１に取り付けられた際に建物側端部２７ｆ（図４）が建物１１の外壁１１ａに近接するように形成されている。
一方、構造梁２５の先端側は、下平板部２７の下面側の縁２７ｇを通り、長手方向と４５°にて交わる線にて斜方向に切断されている。
【００３７】
先端部材３０は、構造梁２５と同じ中空部２５ｅを有する同一中空部材から形成され、構造梁２５と同様に外装面３０ａを下面として置いた際に、上側に位置する先端上平板部３１の上面側の縁３１ａを通り、長手方向と４５°にて交わる線にて斜方向に切断された、側面視略三角形状の部材である。ここで、中空部が４５°にて切断された際には、先端部材３０の上平板部３１はエッジのみとなる。
先端部材３０は、外装面３０ａを有する板状の外装部３４と、外装部３４を構造梁２５に連結するための連結部３６から構成されている。連結部３６は、同一部材の構造梁２５の左側板部２８に相当する先端左側板部３２、右側板部２９に相当する先端右側板部３３、及び、上平板部２６に相当する先端上平板部３１とから構成されている。
そして、外装部３４の外装面３０ａが手前側にて正面を向くように、構造梁２５に連結される。先端部材３０は、構造梁２５と断面が同形状の同一部材から形成されているので、先端部材３０の外装面３０ａの裏側にも、左右の縁部（裏面縁部）３０ｂに沿って第２溝部３０ｃが設けられている。このとき、先端部材３０と構造梁２５の先端部との内側に先端部材３０と構造梁２５とに跨って配置された連結中継部材４０に、先端部材３０と構造梁２５とがそれぞれボルト６３にて締結されることにより、先端部材３０と構造梁２５とが連結中継部材４０を介して連結される。また、先端部材３０と構造梁２５とが連結された状態では、第１溝部２７ｃと第２溝部３０ｃとが繋がっている。
【００３８】
連結中継部材４０は、断面がコ字状の部材であり、対向する２つの平面４０ａ、４０ｂのうちの一方に、構造梁２５の左凹設部位２８ａ及び先端部材３０の先端左側板部３２に凹設された左凹設部位３２ａがボルト６３にて固定され、他方に、構造梁２５の右凹設部位２９ａ及び先端部材３０の先端右側板部３３に凹設された右凹設部位３３ａがボルト６３にて固定される。
【００３９】
このように、連結中継部材４０を介して先端部材３０と構造梁２５とが連結されると、先端部材３０と構造梁２５とが各々斜方向に切断された端部同士が相互に突き合わされるため、先端部材３０と構造梁２５との端縁（切断面）２５ｃ、３０ｄは互いに他方の外装面にて隠されることになる。このとき、構造梁２５及び先端部材３０の肉厚部分における切断面も構造梁２５及び先端部材３０の外装面２７ａ、３０ａによって隠される。このため、持出し梁２０の正面側及び下方側には、先端部材３０と構造梁２５との端縁２５ｃ、３０ｄは外部に露出しない。そして、持出し梁２０の正面に位置する先端部材３０の外装面３０ａと、持出し梁２０の下面２７ａとなる構造梁２５の外装面とがあたかも繋がった状態となり、構造梁２５の先端の開口２５ｄは、切断端縁２５ｃも含めて先端部材３０により覆われる。
【００４０】
梁カバー３５は、先端部材３０及び構造梁２５と同じ材質の部材にて形成されている。
梁カバー３５は、持出し梁２０が建物１１に支持された状態にて、建物１１の外壁１１ａと先端部材３０の第２溝部３０ｃとの距離と同等の長さを有し、長手方向に直交する断面がコ字状の部材である。梁カバー３５は、コ字状の開放された側の端が下方に向けられて、構造梁２５及び先端部材３０の反外装面側の上方から、構造梁２５及び先端部材３０を覆うように被せられる。
【００４１】
図７は、梁カバーの断面図である。
梁カバー３５は、水平面を構成する頂部３５ａ、左側面部３５ｂ、右側面部３５ｃを有しており、頂部３５ａには載置されるパネル１２を構造梁２５の上平板部２６に固定するためのボルトが貫通される穴３５ｄ（図４）が設けられている。頂部３５ａの左右方向の幅、及び、左右の側面部３５ｂ、３５ｃの間隔は、構造梁２５の上平板部２６の左右方向の幅、及び、左側板部２８及び右側板部２９において凹設されていない中央部分２８ｂ、２９ｂの外側面の幅とほぼ同じに形成されている。このため、梁カバー３５の先端側端縁３５ｆを先端部材３０の第２溝部３０ｃに沿わせて上方から構造梁２５及び先端部材３０に被せると、構造梁２５及び先端部材３０のほぼ全体が覆われる。このとき、左右の側面部３５ｂ、３５ｃの内面と、左側板部２８及び右側板部２９の中央部分２８ｂ、２９ｂの外側面とが接触するとともに、左右の側面部３５ｂ、３５ｃの下端縁３５ｅが構造梁２５の第１溝部２７ｃに収容される。
【００４２】
そして、本実施形態の持出し庇１０の施工方法は、まず、構造梁２５に連結中継部材４０を用いて先端部材３０をボルト６３にて連結する。また、梁カバー３５の頂部３５ａ上面には、全域に亘ってクッション材兼防水材としての機能を有するシート（不図示）を貼着する。
次に、持出しアーム２１を建物１１に固定する。持出しアーム２１の固定方法は前述しているのでここでは説明を省略する。
【００４３】
建物１１から張り出して固定された持出しアーム２１に先端部材３０が連結された構造  梁２５を被せると共に、構造梁２５と持出しアーム２１とをボルト６３にて連結する。そして、上方から梁カバー３５を被せて、梁カバー３５の下端縁３５ｅを第１溝部２７ｃに、先端側端縁３５ｆを第２溝部３０ｃにそれぞれ嵌合させて持出し梁２０を完成させる。
その後、下側受け部材５１を建物１１に固定し、パネル１２の奥側縁部を下側受け部材５１上に配置すると共に、パネル１２を持出し梁２０上に載置して化粧ボルトにて持出し梁２０に固定する。
【００４４】
次に、受け部材カバー５２をパネル１２と下側受け部材５１との上部に載置して受け部材カバー５２を下側受け部材５１にねじで固定し、その両端部にて側部材５３を受け部材カバー５２にねじで固定する。最後に、受け部材カバー５２と外壁１１ａとの間に防水剤を注入し、持出し庇１０を完成させる。
【００４５】
本実施形態の持出し梁２０によれば、構造梁２５の先端が先端部材３０の外装面３０ａ、すなわち構造梁２５の外装面となる下面２７ａと同じ材質の部分にて覆われる。また、構造梁２５は中空部２５ｅを有するため、高い強度を有しつつ軽量化することが可能であり、構造梁２５の先端の開口２５ｄを先端部材３０で覆うことにより、美観に優れた持出し梁２０を実現することが可能である。特に、構造梁２５と先端部材３０との連結部は、互いの端部が斜めに切断されて突き合わされているので、構造梁２５の切断端縁（切断面）２５ｃ及び先端部材３０の切断端縁（切断面）３０ｄがいずれも外装面に隠される。このため、持出し梁２０の重厚感や高級感を備え、美観に優れた持出し梁２０を実現することが可能である。特に、建物１１から張り出して視野に入りやすい、構造梁２５と先端部材３０との接合部にて構造梁２５と先端部材３０との切断端縁（切断面）２５ｃ、３０ｄが露出しないので、より美観に優れた持出し梁２０を実現することが可能である
【００４６】
さらに、持出し梁２０は、少なくとも、持出しアーム２１と構造梁２５とを連結するボルト６３、及び、先端部材３０と構造梁２５とを連結するボルト６３を覆う梁カバー３５を有しており、この梁カバー３５は構造梁２５と先端部材３０とが有する外装面以外の部位をほとんど覆うため、連結部材としての例えばボルト６３ばかりでなく、接合部及び構造梁２５や先端部材３０の切断端縁（切断面）２５ｃ、３０ｄをも外側に露出させないことが可能である。このため、さらに美観に優れた持出し梁２０を実現することが可能である。
【００４７】
また、梁カバー３５の下端縁３５ｅ及び先端側端縁３５ｆは、構造梁２５と先端部材３０とが有する外装面の反対側に設けられた第１溝部２７ｃと第２溝部３０ｃとに入り込んでいるので、梁カバー３５の下端縁３５ｅ及び先端側端縁３５ｆも外装面により隠されて露出しない。このため、更に美観に優れた持出し梁２０を実現することが可能である。
【００４８】
また、外部に露出する構造梁２５、先端部材３０、及び、梁カバー３５がいずれも同じ材質なので、持出し梁２０があたかも一体の無垢材であるかのように視認される。このため、持出し梁２０の重厚感や高級感がより高まり、美観に優れた持ち持出し梁２０を実現することが可能である。上記実施形態においては、外装面にメッキ等の表面処理を施す例について説明したが、表面処理は必ずしも施す必要はない。例えば、構造梁２５、先端部材３０、及び、梁カバー３５のいずれもが同素材であり、表面の状態が同じであれば構わない。
【００４９】
また、上記のような持出し梁２０と、持出し梁２０に固定されるパネル１２とにて構成した持出し庇１０は、美観に優れた持出し梁２０にパネル１２が固定されているので、高級感があり美観に優れた持出し庇１０を提供することが可能である。また、パネルを強化ガラスとしたので、庇の下の空間の採光が確保されるともに、デザイン性の高い優れた持出し梁２０を提供することが可能である。本実施形態においては、パネルとして強化ガラスを用いた例について説明したが、これに限るものではない。
【００５０】
上記実施形態においては、建物１１に持出し梁２０を介してパネル１２を固定した持出し庇を例に挙げて説明したが、持出し梁２０に固定されるものはパネル等の屋根材に限らず、又、持出し梁２０を用いて構成されるものも庇に限るものではない。
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００５１】
【図１】本実施形態に係る持出し庇の外観を示す斜視図である。
【図２】下側受け部材の断面図である。
【図３】受け部材カバーの断面図である。
【図４】持出し梁の構成を示す図である。
【図５】持出しアームの構成を示す図である。
【図６】構造梁の断面図である。
【図７】梁カバーの断面図である。
【符号の説明】
【００５２】
１０  持出し庇、１１  建物、１１ａ  外壁、１２  パネル、２０  持出し梁、
２１  持出しアーム、２２  補強接合部材、２５  構造梁、
２５ｃ  切断端縁（切断面）、２５ｄ  開口、２５ｅ  中空部、
２７ａ  下面（外装面）、２７ｃ  第１溝部、２７ｅ  延出面、３０  先端部材、
３０ａ  外装面、３０ｃ  第２溝部、３０ｄ  切断端縁（切断面）、３４  外装部、
３５  梁カバー、３６  連結部、３５ｅ  下端縁、３５ｆ  先端側端縁、
４０  連結中継部材、６３  ボルト
【図１】
0004627273.tif 000002
【図２】
0004627273.tif 000003
【図３】
0004627273.tif 000004
【図４】
0004627273.tif 000005
【図５】
0004627273.tif 000006
【図６】
0004627273.tif 000007
【図７】
0004627273.tif 000008